(57)【特許請求の範囲】
【請求項１】
熱媒体を貯留するタンクと、
前記タンクに貯留された前記熱媒体を加熱する加熱手段と、
前記タンクに貯留された前記熱媒体を取り出して前記タンクに戻す給湯用加熱回路と、
前記給湯用加熱回路に設けられ、給水を前記熱媒体と熱交換させて加熱し給湯とする給湯用熱交換器と、
前記給湯用熱交換器に前記給水を供給する給水回路と、
前記給湯用熱交換器で加熱された前記給湯を給湯端末に供給する給湯回路と、
前記給水回路から分岐して、前記給水を前記熱媒体として前記タンクに導入する熱媒体導入回路と、を備え、
前記給湯用熱交換器は、
前記給湯用加熱回路のうち前記タンクから前記給湯用熱交換器に熱媒体が流入する側の配管に対して着脱可能に接続する一次側入口継手と、
前記給湯用加熱回路のうち前記給湯用熱交換器から前記タンクに熱媒体が流出する側の配管に対して着脱可能に接続する一次側出口継手と、
前記給水回路の配管に対して着脱可能に接続する二次側入口継手と、
前記給湯回路の配管に対して着脱可能に接続する二次側出口継手と、
前記一次側入口継手を介して流入し、前記一次側出口継手を介して流出する前記給湯用加熱回路の前記熱媒体が流通する第一流路と、
前記給水回路から供給された前記給水を前記二次側入口継手を介して流入させ、前記第一流路内を流通する前記熱媒体と熱交換させて加熱し前記給湯として前記二次側出口継手を介して流出する第二流路とを有し、
前記第一流路および前記第二流路のパス数は、奇数パスに構成され、
前記給湯用熱交換器の一面側の上部に前記一次側入口継手および前記二次側出口継手が配置され、
前記給湯用熱交換器の他面側の下部に前記一次側出口継手および前記二次側入口継手が配置される
ことを特徴とする給湯機。
【発明の詳細な説明】
【技術分野】
【０００１】
本発明は、給湯機に関する。
【背景技術】
【０００２】
従来、貯湯タンク式の給湯機として、水を加熱する加熱手段（例えば、ヒートポンプユニット、電気ヒータ）と、加熱手段により加熱された温水を貯えるタンクとを備え、タンク内の温水を利用して、給湯・風呂追い炊き・暖房を行う給湯機が種々提案されている（例えば、特許文献１および特許文献２参照）。
【０００３】
ところで、前記したような従来の給湯機では、一般給湯や浴槽給湯にタンク内の湯水を使用するものがあり、このような給湯機では、タンクから出湯した分の湯水は、給水源から新たにタンク内に補充されるため、一日に多量の水がタンク内で入れ替わることになる。ちなみに、給水の成分が高硬度である場合、一般給湯や浴槽給湯の度に硬度成分がタンク内に流入することになる。
【０００４】
この硬度成分であるカルシウムやマグネシウムなどは、タンク内に流入した給水を沸き上げる際に、給湯機内の水路の高温部にスケール（水中のカルシウム等が加熱により固形物となったもの）として析出するため、ヒートポンプユニット内の水冷媒熱交換器（コンデンサ）等への析出による流路の詰まり、電気温水器からヒータ周囲への析出によるヒータ効率の低下等を招き、一般給湯や浴槽給湯にタンク内の湯水を用いるものについては、高硬度水での使用を不可としていた。なお、一般給湯や浴槽給湯にタンク内の湯水を利用せずに、タンク内の湯水を熱媒体として二次側の給水を加熱して（熱交換して）一般給湯や浴槽給湯に使用するものが種々提案されている（例えば、特許文献３ないし特許文献８）。
このような給湯機では、一般給湯時や浴槽給湯時に、タンク内に新たに給水されることがないため、給水の成分が高硬度である場合でも硬度成分がタンク内に流入することが低減できる。
【先行技術文献】
【特許文献】
【０００５】
【特許文献１】特開２００６−３２９５８１号公報
【特許文献２】特開２００８−４５８５１号公報
【特許文献３】特許第４０６４３５６号公報
【特許文献４】特許第４１０１１９０号公報
【特許文献５】特開２００５−２０７６７２号公報
【特許文献６】特開２００６−３００４８９号公報
【特許文献７】特開２００６−３３６９３７号公報
【特許文献８】特開２００９−１５０６３５号公報
【発明の概要】
【発明が解決しようとする課題】
【０００６】
一般給湯や浴槽給湯にタンク内の湯水を直接利用せずに、タンク内の湯水を一次側（加熱側）の熱媒体として、二次側（被加熱側）の給水を加熱して、一般給湯や浴槽給湯に使用する給湯機（特許文献３ないし特許文献８参照）は、給水を熱媒体（タンク内の湯水）と熱交換させて加熱するための給湯用熱交換器を備えている。
一般給湯時や浴槽給湯時に、給湯用熱交換器の二次側には、給水源からの給水が流入する。この際、給水の成分が高硬度である場合、一般給湯や浴槽給湯の度に硬度成分（カルシウムやマグネシウム等）が給湯用熱交換器の二次側に流入し、高温部にスケールが析出し、流路が詰まるおそれがある。
【０００７】
そこで、本発明は、高硬度水を給水として使用しても継続的に使用可能な給湯機を提供することを課題とする。
【課題を解決するための手段】
【０００８】
このような課題を解決するために、請求項１に係る給湯機は、熱媒体を貯留するタンクと、前記タンクに貯留された前記熱媒体を加熱する加熱手段と、前記タンクに貯留された前記熱媒体を取り出して前記タンクに戻す給湯用加熱回路と、前記給湯用加熱回路に設けられ、給水を前記熱媒体と熱交換させて加熱し給湯とする給湯用熱交換器と、前記給湯用熱交換器に前記給水を供給する給水回路と、前記給湯用熱交換器で加熱された前記給湯を給湯端末に供給する給湯回路と、前記給水回路から分岐して、前記給水を前記熱媒体として前記タンクに導入する熱媒体導入回路と、を備え、前記給湯用熱交換器は、前記給湯用加熱回路のうち前記タンクから前記給湯用熱交換器に熱媒体が流入する側の配管に対して着脱可能に接続する一次側入口継手と、前記給湯用加熱回路のうち前記給湯用熱交換器から前記タンクに熱媒体が流出する側の配管に対して着脱可能に接続する一次側出口継手と、前記給水回路の配管に対して着脱可能に接続する二次側入口継手と、前記給湯回路の配管に対して着脱可能に接続する二次側出口継手と、前記一次側入口継手を介して流入し、前記一次側出口継手を介して流出する前記給湯用加熱回路の前記熱媒体が流通する第一流路と、前記給水回路から供給された前記給水を前記二次側入口継手を介して流入させ、前記第一流路内を流通する前記熱媒体と熱交換させて加熱し前記給湯として前記二次側出口継手を介して流出する第二流路とを有し、前記第一流路および前記第二流路のパス数は、奇数パスに構成され、前記給湯用熱交換器の一面側の上部に前記一次側入口継手および前記二次側出口継手が配置され、前記給湯用熱交換器の他面側の下部に前記一次側出口継手および前記二次側入口継手が配置されることを特徴とする。
【発明の効果】
【０００９】
本発明によれば、給湯用熱交換器を容易に交換でき、給湯用熱交換器の二次側（被加熱側）にスケールが析出して流路が詰まった場合、給湯用熱交換器を定期的に交換することにより、高硬度水を給水として使用しても継続的に使用可能な給湯機を提供することができる。
【図面の簡単な説明】
【００１０】
【図１】本実施形態に係る給湯機の全体回路図である。
【図２】給湯熱交換器単体を示し、（ａ）は斜視図、（ｂ）は側面図である。
【図３】クイックファスナを用いて給湯熱交換器と配管とを接続した状態を示す断面図である。
【図４】クイックファスナ単体を示し、（ａ）は斜視図、（ｂ）は側面図、（ｃ）正面図である。
【図５】給湯熱交換器の取り外し手順を説明するフローチャート図である。
【図６】給湯熱交換器の取り付け手順を説明するフローチャート図である。
【発明を実施するための形態】
【００１１】
≪給湯機≫
以下、本実施形態の給湯機１について図面を参照して説明する。
図１に示すように、本実施形態の給湯機１は、蓄熱タンクユニット２、ヒートポンプユニット（加熱手段）３を含んで構成されている。
【００１２】
蓄熱タンクユニット２は、蓄熱タンク１０、一般給湯回路２０、浴槽給湯回路３０、給湯用加熱回路４０、給湯熱交換器（給湯用熱交換器）５０、浴槽水循環回路６０、追焚き熱交換器（浴槽用熱交換器）７０、熱媒体導入回路８０、逃し弁９０、コントローラ１００などで構成されている。
【００１３】
ヒートポンプユニット３は、図示していないが、例えば、冷媒（例えば、二酸化炭素）を圧縮して高温・高圧にするコンプレッサと、コンプレッサからの冷媒を凝縮させるとともに蓄熱タンク１０からの水を熱交換することによって加熱するコンデンサ（水冷媒熱交換器）と、コンデンサからの冷媒を膨張させる膨張弁と、大気中の熱を吸熱して膨張した冷媒を蒸発させるエバポレータと、を備えて構成されている。
【００１４】
また、ヒートポンプユニット３は、その熱媒体入口がヒートポンプ往き管４を介して蓄熱タンク１０の下部と接続され、熱媒体出口がヒートポンプ戻り管５を介して蓄熱タンク１０の上部に接続されている。なお、図示していないが、例えばヒートポンプユニット３側には、蓄熱タンク１０とヒートポンプユニット３との間において蓄熱タンク１０内の熱媒体を循環させる循環ポンプが設けられている。
【００１５】
また、ヒートポンプ往き管４の途中には、配管６を介してヒートポンプ戻り管５が接続され、ヒートポンプ往き管４と配管６との接続部に三方弁７が設けられている。コントローラ１００によって、蓄熱タンクユニット２の外部に位置するヒートポンプ往き管４およびヒートポンプ戻り管５が凍結するおそれがあると判断されたときには、三方弁７を切り換えるとともにヒートポンプユニット３および循環ポンプ（不図示）を作動させて、ヒートポンプユニット３で温められた冷媒をヒートポンプ戻り管５、配管６、ヒートポンプ往き管４を流れるように循環させる。これにより、蓄熱タンクユニット２の外側の外気に曝されている配管の凍結を防止できるようになっている。
【００１６】
なお、蓄熱タンク１０内の湯水を加熱するための熱源ユニットとしてヒートポンプユニット３を例に挙げて説明したが、これに限定されるものではなく、例えば電気ヒータによるものであってもよい。
【００１７】
蓄熱タンク１０は、熱媒体として湯水を溜める密閉式のタンクであり、縦長の円筒形状を呈している。また、蓄熱タンク１０は、保温性能向上のため、その周囲が発泡スチロールなどの断熱材などで覆われている。
【００１８】
また、蓄熱タンク１０には、異なる高さ位置での熱媒体（湯水）の温度を検知する複数のタンク温度センサ１１〜１５が設けられている。具体的には、蓄熱タンク１０には、上部から下部にかけて５つのタンク温度センサ１１〜１５が設けられている。これにより、コントローラ１００によって、蓄熱タンク１０内の湯水の温度分布を把握できるようになっている。
【００１９】
一般給湯回路２０は、一般給湯端末Ａに湯を供給する流路であり、給水管（給水回路）２１と給湯管２２とで構成されている。
【００２０】
給水管２１は、上流端が給水源に接続され、下流端が後記する給湯熱交換器５０の二次側の給水の入口５１ａに接続されている。
【００２１】
なお、給水管２１が接続される給水源としては、水道に限定されるものではなく、井戸水（地下水）、温泉、河川などを挙げることができる。給水源としては、水道を使用したときの給水の種類は水道水であり、地下水を使用したときの給水の種類は井戸水（地下水）であり、温泉を使用したときの給水の種類は温泉水（温度の低いもの）であり、河川を使用したときの給水の種類は河川水である。特に、本実施形態に係る給湯機１は、硬度成分の少ない水道水（軟水）のみに適用されるものではなく、硬度成分を多く含む水道水や井戸水（高硬度水）にも適用することが可能なものである。すなわち、本実施形態に係る給湯機１は、軟水であるか高硬度水であるかにかかわらず、幅広い種類の給水に対応することができる。
【００２２】
給湯管２２は、上流端が給湯熱交換器５０の二次側の給湯の出口５１ｂに接続され、下流端が各種の一般給湯端末Ａに接続されている。また、給湯管２２には、上流側から順に、流量センサ２３、アキュムレータ２４が設けられている。なお、一般給湯端末Ａとは、台所、洗面所、風呂場などの蛇口やシャワー等であり、供給された湯を一度利用して完了するような利用形態のものを意味している。
【００２３】
流量センサ２３は、給湯管２２を流れる湯の流量（一般給湯端末Ａに供給される湯の流量）を検出するものであり、検出される流量に合わせて後記する給湯循環ポンプ４４のモータの回転速度を調整する。例えば、給湯温度が４０℃に設定されているのであれば、４０℃になるように給湯循環ポンプ４４の回転速度を調整して給湯する。
【００２４】
アキュムレータ２４は、蛇口やシャワーなどから出湯したときに、湯をなましてから（湯の温度を下げてから）出湯させるバッファとしての機能を有している。
【００２５】
また、給水管２１には、給湯熱交換器５０の上流側に給水温度センサ２５が設けられ、給湯管２２には、給湯温度センサ２６が設けられている。給水温度センサ２５は、給湯熱交換器５０に導入される前の給水の温度を検知するものである。給湯温度センサ２６は、給湯熱交換器５０から放出される給湯の温度を検知するものである。
【００２６】
給水管２１には、分岐Ｐ１より上流側に給水栓９９と、給水栓９９の下流側かつ給湯熱交換器５０の上流側に給水水抜き栓９７が設けられている。また、給湯管２２には、アキュムレータ２４の下流側に給湯水抜き栓９８が設けられている。
【００２７】
給水水抜き栓９７は、例えば手動で開閉するものであり、後記する給湯熱交換器５０の交換時に開栓させて、一般給湯回路２０（給水管２１）および給湯熱交換器５０の二次側内の水（給水）を外部に抜き取ることができるようになっている。このため、給水水抜き栓９７は、給湯熱交換器５０の二次側の給水の入口５１ａよりも低い位置に設けられていて重力により排水できることが好ましい。
【００２８】
給湯水抜き栓９８は、例えば手動で開閉するものであり、後記する給湯熱交換器５０の交換時に開栓させて、一般給湯回路２０（給湯管２２）および浴槽給湯回路３０（風呂注湯管３１，３２）内の湯（給湯）を外部に抜き取ることができるようになっている。このため、給湯水抜き栓９８は、給湯熱交換器５０の二次側の給湯の出口５１ｂよりも低い位置に設けられていて重力により排水できることが好ましい。
【００２９】
給水栓９９は、例えば手動で開閉するものであり、閉栓することにより給水源から給湯機１への給水を止水することができるようになっている。なお、給水栓９９は給湯機１の蓄熱タンクユニット２が備えるものであってもよく、給湯機１に給水する給水源に設けられた給水栓であってもよい。
【００３０】
浴槽給湯回路３０は、浴槽Ｂに湯を供給する流路であり、給水管２１と、風呂注湯管３１〜３５と、風呂戻り管６１とで構成されている。浴槽給湯回路３０の給水管２１は、一般給湯回路２０の給水管２１と共有の配管となっている。また、風呂注湯管３１は、給湯管２２の一部と共有の配管となっており、分岐部Ｓを介して一般給湯端末Ａ、浴槽Ｂに延びている。また、風呂戻り管６１は、後記する浴槽水循環回路６０の共有の配管となっている。
【００３１】
風呂注湯管３１には、上流側から順に、流量調整弁３６、風呂注湯管３２、電磁弁３７、風呂注湯管３３、風呂循環ポンプ３８、風呂注湯管３４、循環調整弁（流量調整弁）３９、風呂注湯管３５を介して浴槽Ｂに接続されている。また、風呂注湯管３３には、流量センサ３３ａが設けられている。
【００３２】
流量調整弁３６は、風呂注湯管３１〜３５に流れる湯の流量を調整するものである。例えば、一般給湯を使用せず浴槽給湯のみ（湯張りのみ）の場合には、流量が最大になるように流量調整弁３６を調整し、また浴槽給湯時に一般給湯を使用する場合には、風呂注湯管３１〜３５の流量が少なくなるようにまたは流量がゼロになるように流量調整弁３６を調整する。
【００３３】
電磁弁３７は、電磁作動式の遮断弁であり、コントローラ１００によって開閉制御される。電磁弁３７を閉じることにより、浴槽Ｂへの給湯が遮断される。なお、電磁弁３７には、浴槽水が一般給湯回路２０に逆流しないように逆流防止機能（逆止弁など）を備えている。
【００３４】
風呂循環ポンプ３８は、追焚きモード時に駆動されるものであり、浴槽Ｂに張られた浴槽水を後記する追焚き熱交換器７０との間で循環させる機能を有している。
【００３５】
循環調整弁３９は、風呂注湯管３４から風呂注湯管３５への流量、風呂注湯管３４から後記する浴槽水循環回路６０の追焚き熱交換器往き管６２への流量を調整することができる機能を有する流量調整弁である。
【００３６】
流量センサ３３ａは、風呂注湯管３３を流れる湯の流量（浴槽Ｂに供給される湯の流量）を検出するものであり、検出される流量に合わせて後記する給湯循環ポンプ４４のモータの回転速度を調整する。
【００３７】
なお、前記給湯温度センサ２６は、分岐部Ｓの上流側に位置しており、一般給湯モード時と浴槽給湯モード時の給湯温度をそれぞれ検出する共有の温度センサとなっている。
【００３８】
給湯用加熱回路４０は、蓄熱タンク１０に貯留された熱媒体（湯水）を取り出して蓄熱タンク１０に戻すものであり、給湯熱交換器往き管４１と、給湯熱交換器戻り管４２，４３と、給湯循環ポンプ４４とで構成されている。
【００３９】
給湯熱交換器往き管４１は、蓄熱タンク１０内の熱媒体（湯水）を給湯熱交換器５０に供給する流路であり、上流端が蓄熱タンク１０の上部に接続され、下流端が給湯熱交換器５０の一次側の入口５１ｃに接続されている。
【００４０】
給湯熱交換器戻り管４２は、上流端が給湯熱交換器５０の一次側の出口５１ｄに接続され、下流端が給湯循環ポンプ４４の入口に接続されている。
【００４１】
給湯熱交換器戻り管４３は、上流端が給湯循環ポンプ４４の出口（吐出口）に接続され、下流端が蓄熱タンク１０の下部に接続されている。なお、給湯熱交換器戻り管４３には、給湯循環ポンプ４４の逆流を防止するための逆止弁４３ｂが設けられている。
【００４２】
給湯循環ポンプ４４は、コントローラ１００により駆動されることによって、蓄熱タンク１０内の上部から熱媒体（湯水、高温水）を取り出し、蓄熱タンク１０の下部に戻すようにして循環させるようになっている。
【００４３】
また、給湯循環ポンプ４４は、コントローラ１００によって図示しないモータの回転速度が制御されることにより、給湯熱交換器５０における二次側の給水への熱伝達率を変化させて、一般給湯モード時の給湯温度および浴槽給湯モード時の給湯温度などを調整するようになっている。換言すると、本実施形態では、給湯熱交換器５０によって熱交換された後の給湯（湯）について、給水と混合させて所望の給湯温度（湯）にするような混合弁を備えることはせず、蓄熱タンク１０から出た湯は、全量蓄熱タンク１０に戻すようになっている。
【００４４】
給湯熱交換器戻り管４３には、給湯循環ポンプ４４の気体（エア）を抜くためのポンプエア抜き栓４３ａが設けられている。また、給湯循環ポンプ４４には、給湯循環ポンプ４４内の液体（熱媒体、湯水）を外部に抜き取るためのポンプ水抜き栓４４ａが設けられている。
【００４５】
ポンプエア抜き栓４３ａは、例えば手動で開閉するものであり、蓄熱タンク１０内が満水でない状態から注水する場合や、後述する給湯熱交換器５０の取り付けた後に注水する時に開栓されて、給湯循環ポンプ４４内の空気（エア）を水ともに外部に抜き取ることができるようになっている。
【００４６】
ポンプ水抜き栓４４ａは、例えば手動で開閉するものであり、給湯循環ポンプ４４内の液体（熱媒体、湯水）を外部に抜き取ることができるようになっている。
また、ポンプエア抜き栓４３ａおよびポンプ水抜き栓４４ａは、後記する給湯熱交換器５０の交換時に開栓させて、給湯用加熱回路４０の熱媒体（湯水）を外部に抜き取る際にも用いられる。
【００４７】
給湯熱交換器５０は、給水管２１から供給される水を、蓄熱タンク１０の上部から取り出した熱媒体（湯水）と熱交換させて、水を加熱するようになっている。生成された給湯は、給湯管２２を介して一般給湯に使用され、また風呂注湯管３１〜３５、風呂戻り管６１を介して浴槽給湯に使用される。
【００４８】
また、給湯熱交換器５０は、給水管２１、給湯管２２（風呂注湯管３１）、給湯熱交換器往き管４１および給湯熱交換器戻り管４２との間において着脱自在に構成されている。つまり、仮に給湯熱交換器５０の交換が必要になったときには、蓄熱タンクユニット２から給湯熱交換器５０のみを取り外すことができるようになっている。なお、給湯熱交換器５０の着脱機構については後記する。
【００４９】
このように、本実施形態では、給湯用加熱回路４０が閉回路によって構成されているので、一般給湯端末Ａおよび浴槽Ｂに蓄熱タンク１０内の湯水を放出しないようになっている。言い換えると、一般給湯や浴槽給湯の際に蓄熱タンク１０内の湯水（熱媒体）を、二次側の給水を加熱するための熱媒体としてのみ利用するようになっている。
【００５０】
浴槽水循環回路６０は、浴槽Ｂに貯留された浴槽水を取り出して浴槽Ｂに戻すものであり、風呂戻り管６１と、風呂注湯管３３，３４と、追焚き熱交換器往き管６２と、風呂往き管６３と、風呂注湯管３５とで構成されている。このように浴槽水循環回路６０は、浴槽給湯回路３０の一部、つまり風呂注湯管３３の一部、風呂注湯管３４および風呂注湯管３５の一部と共有の配管となっている。
【００５１】
風呂戻り管６１は、浴槽Ｂから浴槽水を取り出す流路であり、上流端が浴槽Ｂに接続され、下流端が風呂注湯管３３に接続されている。
【００５２】
追焚き熱交換器往き管６２は、上流端が循環調整弁３９に接続され、下流端が追焚き熱交換器７０の入口に接続されて、浴槽水を追焚き熱交換器７０に送る流路となっている。
【００５３】
風呂往き管６３は、上流端が追焚き熱交換器７０の出口に接続され、下流端が風呂注湯管３５の途中に接続されて、追焚き熱交換器７０で熱交換された浴槽水を風呂注湯管３５に送る流路となっている。
【００５４】
風呂戻り管６１には、水位センサ６４、水流スイッチ６５、風呂温度センサ６６が設けられている。
【００５５】
水位センサ６４は、浴槽Ｂに貯留された浴槽水の水位を検知するものである。コントローラ１００は、例えば、浴槽給湯モード時に、水位センサ６４によって予め設定された水位に達したことを検知すると、浴槽給湯を停止するようになっている。
【００５６】
水流スイッチ６５は、追焚きモード時に浴槽水が流れているかどうかを検出するセンサであり、浴槽Ｂに貯留された浴槽水が風呂戻り管６１を矢印（図示上側）の方向に流れているか否かを検知する。
【００５７】
風呂温度センサ６６は、浴槽給湯モード時の浴槽水の温度、追焚きモード時の浴槽水の温度を検知するものである。
【００５８】
また、風呂往き管６３には、追焚き熱交換器７０で熱交換された後の浴槽水の温度を検知する追焚き温度センサ６７が設けられている。
【００５９】
追焚き熱交換器７０は、蓄熱タンク１０の上部に配設され、追焚き熱交換器往き管６２から導入された浴槽水（湯または水）と、蓄熱タンク１０内の熱媒体（湯水、高温の湯）とで熱交換を行い、風呂往き管６３に向けて供給するようになっている。
【００６０】
熱媒体導入回路８０は、給水タンク入り管８１，８２と減圧弁８３とで構成され、給水源から供給された給水を蓄熱タンク１０に導入する流路を構成している。すなわち、熱媒体導入回路８０は、時間の経過とともに蓄熱タンク１０内の熱媒体が減少した場合に補充を行う熱媒体補充回路である。
【００６１】
給水タンク入り管８１は、上流端が給水管２１の途中の分岐Ｐ１と接続され、下流端が減圧弁８３の一次側と接続されている。
【００６２】
給水タンク入り管８２は、上流端が減圧弁８３の二次側と接続され、下流端が給湯熱交換器戻り管４３と合流するように接続されている。なお、給水タンク入り管８２には、蓄熱タンク１０から給水管（給水回路）２１への逆流を防止するための逆止弁８２ｂが設けられている。
【００６３】
減圧弁８３は、給水の圧力（一次圧）を所定の圧力（二次圧）に減圧して、蓄熱タンク１０を保護するものである。減圧弁８３に設定される所定の圧力は、蓄熱タンク１０の強度に応じて適宜変更することができる。
【００６４】
逃し弁９０は、蓄熱タンク１０の耐圧を超えない所定圧になったときに開弁するものであり、コントローラ１００によって電気的に制御されるものではなく、前記所定圧に至ったときに機械的に開弁するように構成されたものである。よって、開弁後に蓄熱タンク１０内の圧力が所定圧を下回ったときには、自動的に閉弁するようになっている。
また、逃し弁９０は、蓄熱タンク１０および給湯用加熱回路４０内の熱媒体（湯水）を外部に抜き取る際、手動で開弁することもできるようになっている。
【００６５】
また、逃し弁９０は、逃し管９１に設けられている。逃し管９１は、一端が給湯熱交換器往き管４１に対して分岐するように接続され、他端が大気（外気）に開放している。なお、逃し弁９０は、機械的に動作するものに限定されず、蓄熱タンク１０内の圧力を検知する圧力センサを設けて、圧力センサの検出値に基づき（前記と同様な所定圧になったときに）逃し弁９０を電気的に開弁するものであってもよい。また、逃がし弁９０は、手動で開弁可能なものに限定されず、コントローラ１００からの指令に基づいて、電気的に開弁するものであってもよい。
【００６６】
また、蓄熱タンク１０と三方弁７との間のヒートポンプ往き管４には、タンク排水栓９５を備えた排出管９６が接続されている。なお、タンク排水栓９５は、例えば手動で開閉するものであり、蓄熱タンク１０内によごれが蓄積した場合、また給湯機１を長期間使用しない場合などに開弁させて、蓄熱タンク１０内の熱媒体（湯水）を外部に抜き取ることができるようになっている。
【００６７】
コントローラ１００は、ＣＰＵ（Central Processing Unit）、ＲＯＭ（Read Only Memory）、ＲＡＭ（Random Access Memory）などを備えて構成され、風呂循環ポンプ３８および給湯循環ポンプ４４のモータの回転速度、三方弁７の流路切換え、流量調整弁３６および循環調整弁３９の流量、電磁弁３７の開閉をそれぞれ制御し、水流スイッチ６５による浴槽水の流れ、水位センサ６４による浴槽Ｂに貯留された浴槽水の水位、各種温度センサ１１〜１５，２５，２６，６６，６７による温度を取得する。
【００６８】
なお、コントローラ１００には、図示しない風呂リモコンや台所リモコンが有線または無線により接続され、風呂リモコンや台所リモコンに設けられた操作部の操作にしたがって、給湯循環ポンプ４４および風呂循環ポンプ３８、三方弁７、流量調整弁３６、電磁弁３７、循環調整弁３９が適宜制御される。
【００６９】
次に、図１を用いて、本実施形態の給湯機１における沸き上げモード、一般給湯モード、浴槽給湯モード、追焚きモードについて説明する。
【００７０】
＜沸き上げモード＞
沸き上げモードの場合には、蓄熱タンク１０内の熱媒体（水）をヒートポンプユニット３によって沸き上げる。すなわち、蓄熱タンク１０の下部からヒートポンプ往き管４を介して熱媒体（水）をヒートポンプユニット３に送り、ヒートポンプユニット３によって温められた熱媒体（湯）を、ヒートポンプ戻り管５を介して蓄熱タンク１０の上部に戻すことで、蓄熱タンク１０内には、例えば、下部に低温水、中間部に中温水、上部に高温水が層状に貯留される。
【００７１】
＜一般給湯モード＞
一般給湯モードの場合には、流量センサ２３によって一般給湯回路２０内の流れが検知されることによって運転が開始される。なお、このとき電磁弁３７は閉じている。すなわち、コントローラ１００の制御によって、一般給湯端末Ａ（蛇口など）が開動作されると、流量センサ２３によって一般給湯回路２０の流れが検知され、台所リモコンの操作部に設定された給湯温度の湯が一般給湯端末Ａから供給されるように、給湯循環ポンプ４４が駆動される。
【００７２】
詳述すると、給水温度センサ２５で検知された給水温度と流量センサ２３で検知された流量に基づいて、給湯温度センサ２６で検知される温度が目標温度となるように給湯循環ポンプ４４のモータの回転速度を調整する。このとき、給湯熱交換器５０の一次側を流れる熱媒体によって、二次側の給水が熱交換によって加熱される。そして、一般給湯端末Ａが閉動作されたことが流量センサ２３で検知されることにより、給湯循環ポンプ４４が停止する。
【００７３】
なお、給湯温度センサ２６での目標温度は、湯が給湯温度センサ２６から一般給湯端末Ａに到達するまでの間の温度低下等を考慮して、設定温度よりも高く設定される。ただし、このような制御に限定されるものではなく、目標温度が設定温度と同じであってもよい。
【００７４】
このように、本実施形態では、給湯循環ポンプ４４のモータの回転速度を制御することで一般給湯端末Ａから供給される湯の温度を調整しているので、給湯熱交換器５０の下流側に、給湯熱交換器５０で生成された給湯（湯）と、給湯熱交換器５０をバイパスして設けられた給水とを混合させて一般給湯端末Ａから供給させる混合弁を設けることが必須ではない。ただし、湯の温度をより精度よく調整する目的で混合弁を設けるものであってもよい。
【００７５】
＜浴槽給湯モード＞
浴槽給湯モードの場合には、例えば風呂リモコンの操作部に設けられた湯張り開始の操作スイッチの操作によって運転が開始される。なお、このとき、電磁弁３７が開弁し、循環調整弁３９が風呂注湯管３４と風呂注湯管３５とが連通するように設定されている。また、流量調整弁３６は、運転初期は開度が小、徐々に開度が大となるように制御される。
【００７６】
運転が開始されると、設定された湯張り温度の湯が浴槽Ｂに供給されるように、給湯循環ポンプ４４が駆動される。詳述すると、給水温度センサ２５で検知される給水温度と流量センサ３３ａによって検知された流量に基づいて、給湯温度センサ２６で検知される温度が目標温度となるように、給湯循環ポンプ４４を制御する。
【００７７】
これにより、給水管２１から給湯熱交換器５０を介して生成された湯が、主に風呂注湯管３１〜３３および風呂戻り管６１を通って浴槽Ｂに供給されるとともに、一部が風呂注湯管３３〜３５を通って浴槽Ｂに供給される。このように、浴槽給湯モードの際には、風呂戻り管６１を湯が逆方向に流れるようになっている。そして、浴槽Ｂに所定量の湯が貯留されたことが水位センサ６４によって検知されることで、給湯循環ポンプ４４が停止して、湯張りが終了する。
【００７８】
なお、浴槽給湯モードとしては、湯張りのほか、設定温度と同等の湯を追加する足し湯、設定温度よりも高い温度の湯を追加して浴槽Ｂの温度を上げる差し湯といった、給水源からの給水を加熱して浴槽Ｂに給湯する各種の給湯態様も含まれる。また、この他に、給水を給湯熱交換器５０で加熱せずに浴槽Ｂへ供給する差し水といった給湯態様がある。
【００７９】
また、浴槽給湯モード時に一般給湯端末Ａが開動作された場合には、浴槽給湯回路３０の流量調整弁３６を絞る（閉方向に制御する）。これにより、給湯熱交換器５０で生成された給湯について、浴槽給湯回路３０に供給される流量が減少し、一般給湯回路２０に給湯が開始される。このように、一般給湯と浴槽給湯の両方が同時に必要といった場合には、あくまでも一般給湯端末Ａを優先、つまり体感的に感じられる一般給湯端末Ａを優先して、浴槽Ｂの湯張りを絞ることが好ましい。なお、このような場合、流量調整弁３６を全閉にして、浴槽給湯回路３０への湯の流量を完全に停止させてもよい。また、浴槽給湯回路３０への湯の流量を完全に停止させる方法としては、電磁弁３７を閉とするものであってもよい。
【００８０】
このように、浴槽給湯モード時に一般給湯端末Ａからの給湯要求がなされた場合の浴槽給湯の調整（絞り）については、給湯器１の給湯能力（蓄熱タンク１０の容積、給湯圧、給湯熱交換器５０の熱交換能力など）に応じて適宜変更することができる。例えば、給湯能力が低い給湯機であれば、一般給湯端末Ａからの給湯要求が停止するまで浴槽への給湯を停止するように構成できる。
【００８１】
＜追焚きモード＞
追焚きモードの場合には、例えば風呂リモコンの操作部に設けられた追焚きスイッチの操作によって運転が開始される。まず、電磁弁３７が閉じられた状態において、循環調整弁３９の開度が風呂注湯管３４から風呂注湯管３５側に全開となるように設定され、風呂循環ポンプ３８が駆動される。これにより、浴槽Ｂに貯留された浴槽水が、風呂戻り管６１、風呂注湯管３３，３４，３５を介して循環する。
【００８２】
そして、循環調整弁３９が追焚き熱交換器往き管６２側へと徐々に開くように制御され、風呂注湯管３５内の温度が所定温度（例えば、６０℃）になるように風呂温度センサ６６と追焚き温度センサ６７の検出温度から予測しながら循環調整弁３９の開度が制御される。そして、風呂温度センサ６６で検知される温度（浴槽水の温度）が設定温度になったら、風呂循環ポンプ３８を停止して追焚きモードを終了する。
【００８３】
なお、浴槽給湯モードおよび追焚きモードにおいても、一般給湯モードと同様に、追焚き温度センサ６７で検知される温度と、浴槽Ｂの浴槽水の温度との差を考慮して、目標温度よりも高く設定される。ただし、これに限定されず、目標温度が設定温度と同じであってもよい。
【００８４】
また、追焚きモード時に一般給湯端末Ａが開動作された場合には、一般給湯モードの制御と同様に、給水温度センサ２５の温度と流量センサ２３の流量に基づいて、給湯温度センサ２６の温度が目標温度となるように、給湯循環ポンプ４４が制御される。
【００８５】
ところで、沸き上げモードでは、蓄熱タンク１０内の水の温度が上昇することで、蓄熱タンク１０内の圧力が上昇する。蓄熱タンク１０の上部に設けられた逃し弁９０は、蓄熱タンク１０の圧力が耐圧を超える圧力に近づいたとき（蓄熱タンク１０の耐圧を超えないように予め設定された値のとき）に逃し弁９０が自動的に開弁する。これにより、蓄熱タンク１０内の熱媒体（体積膨張分の湯水）が外部に排出されることになる。
【００８６】
また、一般給湯モード、浴槽給湯モードにおいて、熱媒体（高温水）を給湯循環ポンプ４４によって循環させ、給湯熱交換器５０において二次側の給水と熱交換して、二次側の給水を加熱することで、一般給湯や浴槽給湯などに使用される。このとき、給湯熱交換器５０から給湯熱交換器戻り管４２，４３を通って蓄熱タンク１０に戻る熱媒体（水）は、給水とほぼ同じ温度になっているため、蓄熱タンク１０内の温度および圧力は下降する。このように、蓄熱タンク１０内の圧力が下がることで、逃し弁９０から排出された熱媒体と同等量の水（前記体積膨張分の給水）が、給水タンク入り管８１，８２から補給されることになる。したがって、蓄熱タンク１０内には、逃し弁９０から排出された分の熱媒体が自動的に供給されるようになっている。
【００８７】
≪給湯熱交換器の交換≫
ところで、一般給湯モードや浴槽給湯モードにおいて、給湯熱交換器５０の二次側（入口５１ａから出口５１ｂの流路）には、給水源からの給水が流入する。この際、給水の成分が高硬度である場合、一般給湯モードや浴槽給湯モードの度に硬度成分（カルシウムやマグネシウム等）が給湯熱交換器５０の二次側に流入し、給湯熱交換器５０の高温部（給湯熱交換器５０内の二次側出口側付近）にスケールが析出し、流路が詰まるおそれがある。このため、本実施形態に係る給湯機１は、給湯熱交換器５０が着脱可能に構成されている。
【００８８】
＜給湯熱交換器の構成＞
まず、給湯熱交換器５０の構造について説明する。図２は、給湯熱交換器５０単体を示し、（ａ）は斜視図、（ｂ）は側面図である。
図２（ａ）に示すように、給湯熱交換器５０は、複数の伝熱プレートが積層されたプレート式熱交換器であり、二次側の入口５１ａと、二次側の出口５１ｂと、一次側の入口５１ｃと、一次側の出口５１ｄと、を有している。
給湯熱交換器５０の内部は伝熱プレート間に流路が形成され、入口５１ａから出口５１ｂへと連通する二次側の流路が形成されており、入口５１ｃから出口５１ｄへと連通する一次側の流路が形成されている。そして一次側の流路を流れる流体（蓄熱タンク１０からの熱媒体）と、二次側の流路を流れる流体（給水源から供給される給水）とが、伝熱プレートを介して熱交換可能に構成されている。
【００８９】
そして、給湯熱交換器５０は、図２（ａ）に示すように、パス数が奇数パスのものであり、一面側の上部に二次側の出口５１ｂおよび一次側の入口５１ｃが配置され、他面側の下部に二次側の入口５１ａおよび一次側の出口５１ｄが配置されている。なお、パスとは、流体の折り返し数を表すものであり、折り返さない場合を１パス、１往復するもの（折り返し数が１回）を２パスと表現し、以降は折り返し数が１回増えるたびにパス数が一つ増える。
【００９０】
仮に、パス数が偶数パスの給湯熱交換器の場合、一面側の下部に二次側の出口５１ｂおよび一次側の入口５１ｃが配置され、他面側の上部に二次側の入口５１ａおよび一次側の出口５１ｄが配置される構成となる。この場合、各入口，出口と接続される配管が偶数パスの給湯熱交換器を両面から挟み込む形となり給湯熱交換器の取り外し・取り付けが困難となる。
【００９１】
これに対し、給湯熱交換器５０は、図２（ｂ）に示すように一面側の上部に二次側の出口５１ｂおよび一次側の入口５１ｃが配置され、他面側の上部には、入口／出口となる継手Ｆ（図３参照）が配置されていない。同様に、他面側の下部に二次側の入口５１ａおよび一次側の出口５１ｄが配置され、一面側の下部には、入口／出口となる継手Ｆ（図３参照）が配置されていない。
このため、図２（ｂ）に示すように側面視して、給湯熱交換器５０を反時計回りに回転させるようにして配管から給湯熱交換器５０を取り外すことができ、取り付け時には給湯熱交換器５０を時計回りに回転させるようにして配管に接続することができる。
【００９２】
なお、給湯熱交換器５０は、コンパクトで軽量であるものが望ましい。また、接続される配管（給水管２１、給湯管２２（風呂注湯管３１）、給湯熱交換器往き管４１および給湯熱交換器戻り管４２）のみで支持されるものであってもよく、図示しない支持台の上に載置されるものであってもよい。
また、給湯熱交換器５０に接続される配管（給水管２１、給湯管２２（風呂注湯管３１）、給湯熱交換器往き管４１および給湯熱交換器戻り管４２）は、ステンレス配管であることが望ましい。ステンレス配管は、撓みにくく、交換作業の際、給湯熱交換器５０の姿勢が定まりやすいため、交換作業が容易となる。
【００９３】
＜給湯熱交換器の着脱機構＞
次に、給湯熱交換器５０と配管との着脱機構について図３および図４を参照して説明する。図３はクイックファスナを用いて給湯熱交換器と配管とを接続した状態を示す断面図である。図４はクイックファスナ単体を示し、（ａ）は斜視図、（ｂ）は側面図、（ｃ）正面図である。
【００９４】
図３に示すように、給水管２１、給湯管２２（風呂注湯管３１）、給湯熱交換器往き管４１および給湯熱交換器戻り管４２（以下、これらをまとめて配管Ｈとする）の先端部には、それぞれ同様な継手部Ｅが形成されている。すなわち、継手部Ｅは、配管Ｈの先端の外周面に、２つのフランジ部ｅ１，ｅ２が軸方向に所定の間隔を開けて形成され、フランジ部ｅ１とフランジ部ｅ２との凹部にオーリングＲが配設されている。
【００９５】
一方、給湯熱交換器５０には、配管Ｈが接続される部分に、略円筒状の継手Ｆが溶接などによって固定されている。この継手Ｆは、円筒部ｆ１が給湯熱交換器５０の表面から突出して形成されるとともに、配管Ｈが挿入される側の円筒部ｆ１の先端に鍔部ｆ２が全周にわたって外側に突出して形成されている。なお、給湯熱交換器５０の内部構造については省略する。
【００９６】
このように構成された継手Ｆの挿入孔ｆ３に継手部Ｅが挿入されると、オーリングＲが挿入孔ｆ３に接触して弾性変形して、挿入孔ｆ３の内壁面に密着することで継手部分から漏水しないようになっている。
【００９７】
図４（ａ）〜（ｃ）に示すように、図３のクイックファスナ５２は、例えば、ステンレス鋼板を用いてプレス加工して成形され、配管Ｈを弾性力によって把持する弓形状の一対の配管把持部５２ａ，５２ａと、継手Ｆを弾性力によって把持する弓形状の一対の継手把持部５２ｂ，５２ｂと、前記継手Ｆに形成された鍔部ｆ２が嵌入され係合する鍔部嵌入孔５２ｃ，５２ｃと、一端（図示上側）において、配管把持部５２ａ同士、および継手把持部５２ｂ同士、配管把持部５２ａと継手把持部５２ｂとを連結する連結部５２ｄと、他端（図示下側）において、配管把持部５２ａと継手把持部５２ｂとを連結するとともに外方に向かって延出する取付けガイド５２ｅ，５２ｅとを有している。
【００９８】
継手部Ｅを継手Ｆに挿入後、クイックファスナ５２を、配管把持部５２ａが配管Ｈと対向するように、そして継手把持部５２ｂが継手Ｆと対向するように、取付けガイド５２ｅ側から押圧することによって、その押圧力によって配管把持部５２ａおよび継手把持部５２ｂがそれぞれ押し広げられ、配管把持部５２ａおよび継手把持部５２ｂを乗り越えることによって弾性復帰することで、配管Ｈと継手Ｆとが把持されて連結される。このとき、継手Ｆの鍔部ｆ２が鍔部嵌入孔５２ｃに入り込むことで、配管Ｈと継手Ｆとが連結され、配管Ｈが給湯熱交換器５０から抜け出ることがない。
【００９９】
なお、着脱機構は、パイプ固定部材（継手Ｆ）と配管Ｈとを弾性力によって連結するクイックファスナ５２に限定されるものではなく、配管Ｈがパイプ固定部材から外れないように固定できるものであれば、どのようなものであってもよい。また、オーリングＲの設置個数についても、フランジ部を増やして、オーリングＲを軸方向に複数段設けてもよい。
【０１００】
＜給湯熱交換器の取り外し手順＞
図１に示すように、給湯熱交換器５０は、一般給湯回路２０、浴槽給湯回路３０および給湯用加熱回路４０に接続されている。このため、給湯機１から給湯熱交換器５０を取り外す前に、各回路内の湯水を排出する必要がある。
図５を用いて、給湯熱交換器５０の取り外し手順について説明する。図５は、給湯熱交換器５０の取り外し手順を説明するフローチャート図である。
以下の説明において、逃し弁９０が蓄熱タンク１０内の圧力に基づいて自動的に開弁／閉弁する状態を動作状態と称し、逃し弁９０が手動で開弁された状態を開放状態と称する。
なお、取り外し作業開始時において、給水栓９９は開栓しており、ポンプエア抜き栓４３ａ，ポンプ水抜き栓４４ａ，タンク排水栓９５，給水水抜き栓９７，給湯水抜き栓９８は閉栓しており、逃し弁９０は動作状態となっている。また、電磁弁３７も閉弁している。
【０１０１】
ステップＳ１０１において、交換作業者は、給水栓９９を閉栓する。これにより、給湯機１への給水が止水される。
【０１０２】
ステップＳ１０２において、交換作業者は、ポンプエア抜き栓４３ａを開栓する。
ステップＳ１０３において、交換作業者は、逃し弁９０を開放状態とする。これにより、逃し弁９０から空気が流入し、ポンプエア抜き栓４３ａから、給湯用加熱回路４０（給湯熱交換器往き管４１，給湯熱交換器戻り管４２，４３）および給湯熱交換器５０の一次側の熱媒体（湯水）の排水が開始される。
ステップＳ１０４において、交換作業者は、ポンプ水抜き栓４４ａを開栓する。これにより、ポンプ水抜き栓４４ａからも、給湯用加熱回路４０（給湯熱交換器往き管４１，給湯熱交換器戻り管４２，４３）および給湯熱交換器５０の一次側の熱媒体（湯水）が排水される。
【０１０３】
ステップＳ１０５において、交換作業者は、タンク排水栓９５を開栓する。これにより、蓄熱タンク１０内の熱媒体（湯水）が排水され、蓄熱タンク１０内の水位が下がる。
【０１０４】
ステップＳ１０６において、交換作業者は、給水水抜き栓９７および給湯水抜き栓９８を開栓する。
【０１０５】
ステップＳ１０７において、交換作業者は、ポンプエア抜き栓４３ａおよびポンプ水抜き栓４４ａからの排水が終了したか否かを判定する。排水が終了していない場合には（Ｓ１０７・Ｎｏ）、排水が終了するまでステップＳ１０７を繰り返す。排水が終了した場合には（Ｓ１０７・Ｙｅｓ）、ステップＳ１０８に進む。なお、ポンプエア抜き栓４３ａおよびポンプ水抜き栓４４ａからの排水が終了している状態では、給湯熱交換器往き管４１および給湯熱交換器５０の一次側の流路内（入口５１ｃから出口５１ｄの間）は排水されており、給湯熱交換器５０の一次側の配管（給湯熱交換器往き管４１、給湯熱交換器戻り管４２）を取り外し可能な状態となっている。また、この状態では、蓄熱タンク１０内の水位は下がっており（Ｓ１０５参照）、蓄熱タンク１０内の熱媒体（湯水）が給湯用加熱回路４０から流出しない状態となっている。
【０１０６】
ステップＳ１０８において、交換作業者は、タンク排水栓９５を閉栓する。このように、蓄熱タンク１０内の熱媒体（湯水）を全て排水するのではなく、給湯熱交換器５０の一次側の配管給湯熱交換器往き管４１、給湯熱交換器戻り管４２）を取り外し可能な水位（蓄熱タンク１０内の熱媒体（湯水）が給湯用加熱回路４０に流出しない水位）となるまで蓄熱タンク１０内の一部の熱媒体（湯水）を排水した後、タンク排水栓９５を閉栓する。このため、蓄熱タンク１０内には、熱媒体（湯水）が残っているが、逆止弁４３ｂ，８２ｂにより逆流することを防止している。
【０１０７】
ステップＳ１０９において、交換作業者は、給湯熱交換器５０の一次側入口５１ｃのクイックファスナ５２（図３参照）を取り外し、給湯熱交換器往き管４１を給湯熱交換器５０（入口５１ｃ）から外す。
ステップＳ１１０において、交換作業者は、給湯熱交換器５０の二次側出口５１ｂのクイックファスナ５２（図３参照）を取り外し、給湯管２２（風呂注湯管３１）を給湯熱交換器５０（出口５１ｂ）から外す。ここで、取り外した給湯熱交換器５０の二次側出口５１ｂおよび給湯管２２（風呂注湯管３１）から空気が流入し、一般給湯回路２０および給湯熱交換器５０の二次側の給水が給水水抜き栓９７および給湯水抜き栓９８から排水される。排水が止まったら、ステップＳ１１１に進む。なお、給水水抜き栓９７および給湯水抜き栓９８からの排水が終了している状態では、一般給湯回路２０および給湯熱交換器５０の二次側の流路内（入口５１ａから出口５１ｂの間）は排水されており、給湯熱交換器５０の二次側の配管（給水管２１）を取り外し可能な状態となっている。
【０１０８】
ステップＳ１１１において、交換作業者は、給湯熱交換器５０の一次側出口５１ｄのクイックファスナ５２（図３参照）を取り外し、給湯熱交換器戻り管４２を給湯熱交換器５０（出口５１ｄ）から外す。
ステップＳ１１２において、交換作業者は、給湯熱交換器５０の二次側入口５１ａのクイックファスナ５２（図３参照）を取り外し、給水管２１を給湯熱交換器５０（入口５１ａ）から外す。
以上により、給湯熱交換器５０を給湯機１から取り外すことができる。
【０１０９】
＜給湯熱交換器の取り付け＞
次に、図６を用いて、給湯熱交換器５０の取り付け手順について説明する。図６は、給湯熱交換器５０の取り付け手順を説明するフローチャート図である。
取り付け作業開始時において、タンク排水栓９５，給水栓９９は閉栓しており、ポンプエア抜き栓４３ａ，ポンプ水抜き栓４４ａ，給水水抜き栓９７，給湯水抜き栓９８は開栓しており、逃し弁９０は開放状態となっている。
【０１１０】
ステップＳ２０１において、交換作業者は、新しい給湯熱交換器５０に配管を取り付け、クイックファスナ５２（図３参照）で固定する。即ち、給湯熱交換器５０の二次側入口５１ａに給水管２１を挿入し、給湯熱交換器５０の二次側出口５１ｂに給湯管２２（風呂注湯管３１）を挿入し、給湯熱交換器５０の一次側入口５１ｃに給湯熱交換器往き管４１を挿入し、給湯熱交換器５０の一次側出口５１ｄに給湯熱交換器戻り管４２を挿入し、それぞれをクイックファスナ５２（図３参照）で固定する。
【０１１１】
ステップＳ２０２において、交換作業者は、ポンプ水抜き栓４４ａ，給水水抜き栓９７，給湯水抜き栓９８を閉栓する。なお、ポンプエア抜き栓４３ａは開栓したままにしておく。
ステップＳ２０３において、交換作業者は、給水栓９９を開栓する。これにより、給水源からの給水が蓄熱タンク１０に注水される。そして、蓄熱タンク１０内の空気は押し上げられ、逃し弁９０から外部に排出される。
ステップＳ２０４において、交換作業者は、ポンプエア抜き栓４３ａから出水したか否かを判定する。出水していない場合には（Ｓ２０４・Ｎｏ）、出水するまでステップＳ２０４を繰り返す。出水した場合には（Ｓ２０４・Ｙｅｓ）、ステップＳ２０５に進む。なお、ポンプエア抜き栓４３ａから出水した状態では、蓄熱タンク１０内が満水となっている状態である。
ステップＳ２０５において、交換作業者は、逃し弁９０を開放状態から動作状態とする。
【０１１２】
ステップＳ２０６において、交換作業者は、ポンプエア抜き栓４３ａから空気（エア）の排出が終了したか否かを判定する。空気の排出が終了していない場合には（Ｓ２０６・Ｎｏ）、空気の排出が終了するまでステップＳ２０６を繰り返す。空気の排出が終了した場合には（Ｓ２０６・Ｙｅｓ）、ステップＳ２０７に進む。なお、ポンプエア抜き栓４３ａから空気の排出が終了した状態では、給湯用加熱回路４０、給湯熱交換器５０の一次側流路、給湯循環ポンプ４４内のエア抜きが終了した状態である。
ステップＳ２０７において、交換作業者は、ポンプエア抜き栓４３ａを閉栓する。
以上により、給湯熱交換器５０を給湯機１に取り付けることができる。
なお、一般給湯回路２０（浴槽給湯回路３０）内の空気は排出されていないが、一般給湯端末Ａ（電磁弁３７）を開いたときに、給湯とともに、押し出される。
【０１１３】
＜まとめ＞
以上説明したように、本実施形態の給湯機１によれば、蓄熱タンク１０内の湯水を一般給湯や浴槽給湯に用いることがない、つまり蓄熱タンク１０内の湯は、全量蓄熱タンク１０に戻るように構成されているので、硬度の高い水道水、井戸水や地下水などの硬度の高い水を使用することが可能になる。しかも、このような高硬度の水を使用したとしても、給湯機１内の水路の高温部（ヒートポンプユニット３、給湯熱交換器５０の一次側など）にスケールによる配管の詰まりが生じるのを防止することができる。その結果、蓄熱タンク１０内の熱媒体として、特殊な液体ではなく、一般給湯や浴槽給湯などに使用している給水と同様の水を使用しているので、蓄熱タンク１０内に熱媒体を補充する際の取り扱いが容易になる。特に、ヒートポンプユニット３のコンデンサ（水冷媒熱交換器）は、一次側に高圧の冷媒が流れるように構成されているため、コンデンサ（水冷媒熱交換器）のみを取り外すことができない。このため、蓄熱タンク１０内の湯水を一般給湯や浴槽給湯に用いず熱媒体として使用して、スケールによる配管の詰まりが生じるのを防ぐことにより、給湯機１全体（またはヒートポンプユニット３全体）を交換するといった無駄を無くすことが可能になる。
【０１１４】
また、本実施形態の給湯機１では、図２から図４で説明したように、給湯熱交換器５０が交換可能に構成されている。これにより、仮にスケールなどによって給湯熱交換器５０の流路に詰まりが発生したとしても、クイックファスナ５２を取り外した後に配管Ｈを継手Ｆから引き抜くことで、給湯熱交換器５０を蓄熱タンクユニット２から容易に取り外すことが可能になる。また、蓄熱タンクユニット２に対して新たな給湯熱交換器５０を装着することも容易になる。したがって、給湯熱交換器５０のみを交換するだけでよいので、給湯機１全体（または蓄熱タンクユニット２全体）を交換するといった無駄を無くすことが可能になる。特に、給湯機１に高硬度水を給水して使用する場合、一般給湯モードや浴槽給湯モードの度に硬度成分（カルシウムやマグネシウム等）が給湯熱交換器５０の二次側に流入し、給湯熱交換器５０の高温部（給湯熱交換器５０内の二次側出口側付近）にスケールが析出し、流路が詰まるおそれがある。これに対し、本実施形態の給湯機１は、給湯熱交換器５０のみを容易に交換することができる。このため、給湯機１に高硬度水を給水して使用する場合であっても、例えば給湯熱交換器５０を定期的に交換することにより、継続的に給湯機１を使用することができる。
【０１１５】
また、本実施形態では、密閉式の蓄熱タンク１０を例に挙げて説明したが、密閉式のものに限定されず、開放型の蓄熱タンクであってもよい。開放型の蓄熱タンクの場合には、主に蒸発によって蓄熱タンク１０内の熱媒体が減少する状況が生じる。開放型のタンクにすることで、それに伴う付随設備は必要になるが、蓄熱タンク１０を円筒状ではなく、四角筒状にすることができ、デッドスペースを無くすことができる。その結果、給湯機全体を小型化することができる。しかも、高い強度が不要になり、板厚などを薄くすることができる。なお、開放型の蓄熱タンクの場合には、蓄熱タンク１０に給水を補充すべく開制御される電磁弁を設ける構成が考えられる。
【０１１６】
また、給湯熱交換器５０の交換時期を使用者に報知する機能を有していてもよい。例えば、コントローラ１００が、給湯熱交換器５０の使用期間（例えば、給湯循環ポンプ４４の稼働時間から算出）や、給湯熱交換器５０を流れた流量（例えば、一次側であれば、給湯循環ポンプ４４の稼働時間と回転速度より算出、二次側であれば、流量センサ２３，３３ａの総和）、給水源の硬度（例えば、リモコン等で入力される）に基づいて給湯熱交換器５０の交換時期を算出し、交換時期となったら（交換時期が近づいてきたら）図示しないリモコン等に交換時期である旨を表示して使用者に給湯熱交換器５０の交換を促すように構成してもよい。
【符号の説明】
【０１１７】
１      給湯機
２      蓄熱タンクユニット
３      ヒートポンプユニット（加熱手段）
１０    蓄熱タンク（タンク）
２０    一般給湯回路（給湯回路）
２１    給水管（給水回路、給水回路の配管）
２２    給湯管（給湯回路の配管）
３０    浴槽給湯回路（給湯回路）
３１    風呂注湯管（給湯回路の配管）
４０    給湯用加熱回路
４１    給湯熱交換器往き管（給湯用加熱回路の配管）
４２    給湯熱交換器戻り管（給湯用加熱回路の配管）
５０    給湯熱交換器（給湯用熱交換器）
５１ａ  入口（二次側入口、継手）
５１ｂ  出口（二次側出口、継手）
５１ｃ  入口（一次側入口、継手）
５１ｄ  出口（一次側出口、継手）
８０    熱媒体導入回路
Ａ      一般給湯端末（給湯端末）
Ｂ      浴槽（給湯端末）
Ｆ      継手
Ｈ      配管
【図１】
0005492059.tif 000002
【図２】
0005492059.tif 000003
【図３】
0005492059.tif 000004
【図４】
0005492059.tif 000005
【図５】
0005492059.tif 000006
【図６】
0005492059.tif 000007